(57)【特許請求の範囲】
【請求項１】
指向性を切換可能な可変指向性アンテナの指向性の方向を切換える指向性切換手段と、
チャンネルを切換えて、前記可変指向性アンテナから入力された複数のチャンネルのそれぞれに対応する放送信号のうちから、切換えたチャンネルに対応する放送信号を抽出する放送信号抽出手段と、
前記指向性切換手段と前記放送信号抽出手段とを制御して、前記チャンネルと前記指向性の方向とを順次切換える順次切換制御手段と、
前記順次切換制御手段によって切換えられている前記チャンネルと前記指向性の方向との組合せごとに、前記放送信号抽出手段によって抽出された放送信号から検出した所定期間の水平同期信号の数をカウントするカウント手段と、
前記順次切換制御手段によって切換えられている複数の前記チャンネルのそれぞれに対して、前記カウント手段によってカウントされた数と、前記抽出された放送信号の水平同期周波数と前記所定期間とから定められる基準値との差分を算出する差分算出手段と、
前記差分算出手段によって算出された差分を所定値と比較する差分比較手段と、
前記差分比較手段による比較の結果、前記算出された差分が前記所定値以内となったチャンネルを受信可能チャンネルと判断する受信可否判断手段と、
前記受信可能チャンネルについて、前記基準値との差分が最小となった指向性の方向を選択する第１選択手段と、
前記第１選択手段が選択した指向性の方向が複数のときに所定条件により該複数の１を選択する第２選択手段と、
前記チャンネル毎に前記受信可否判断手段による判断結果と、前記第１選択手段が選択した指向性の方向とを対応付けて記憶する記憶手段と、
所望のチャンネルの指定を受付けるチャンネル受付手段と、
前記チャンネル受付手段によって受付けられたチャンネルに対応して前記記憶手段に記憶された指向性の方向に、前記指向性切換手段を制御して前記可変指向性アンテナの指向性の方向を切換えさせるとともに、該受付けられたチャンネルに対応する放送信号を前記放送信号抽出手段を制御して抽出させる選局手段とを備え、
前記第２選択手段の所定条件は、複数の方向のそれぞれの両隣の方向の差分値の和が最も小さくなる方向、または複数の方向のうち真中の方向であり、
前記記憶手段は、前記第２選択手段が前記指向性の方向を選択した場合は、前記第１選択手段が選択した指向性の方向に代えて前記第２選択手段が選択した指向性の方向を記憶し、
前記チャンネル受付手段は、チャンネル番号アップ方向またはチャンネル番号ダウン方向へのチャンネル切替指示を受け付けるチャンネル切替指示受付手段を含み、
前記チャンネル切替指示受付手段が受け付けたチャンネル切替指示により、前記記憶手段から前記受信可能チャンネルを、指示されたチャンネル番号アップ方向または指示されたチャンネル番号ダウン方向へサーチする受信可能チャンネルサーチ手段を、さらに備える、放送受信装置。
【請求項２】
指向性を切換可能な可変指向性アンテナの指向性の方向を切換える指向性切換手段と、
チャンネルを切換えて、前記可変指向性アンテナから入力された複数のチャンネルのそれぞれに対応する放送信号のうちから、切換えたチャンネルに対応する放送信号を抽出する放送信号抽出手段と、
前記指向性切換手段と前記放送信号抽出手段とを制御して、前記チャンネルと前記指向性の方向とを順次切換える順次切換制御手段と、
前記順次切換制御手段によって切換えられている前記チャンネルと前記指向性の方向との組合せごとに、前記放送信号抽出手段によって抽出された放送信号から検出した所定期間の水平同期信号の数をカウントするカウント手段と、
前記順次切換制御手段によって切換えられている複数の前記チャンネルのそれぞれに対して、前記カウント手段によってカウントされた数と、前記抽出された放送信号の水平同期周波数と前記所定期間とから定められる基準値との差分を算出する差分算出手段と、
前記差分算出手段によって算出された差分を所定値と比較する差分比較手段と、
前記差分比較手段による比較の結果、前記算出された差分が前記所定値以内となったチャンネルを受信可能チャンネルと判断する受信可否判断手段と、
前記受信可能チャンネルについて、前記基準値との差分が最小となった指向性の方向を選択する第１選択手段と、
前記チャンネル毎に前記受信可否判断手段による判断結果と、前記第１選択手段が選択した前記指向性の方向とを対応付けて記憶する記憶手段と、
所望のチャンネルの指定を受付けるチャンネル受付手段と、
前記チャンネル受付手段によって受付けられたチャンネルに対応して前記記憶手段に記憶された指向性の方向に、前記指向性切換手段を制御して前記可変指向性アンテナの指向性の方向を切換えさせるとともに、該受付けられたチャンネルに対応する放送信号を前記放送信号抽出手段を制御して抽出させる選局手段とを備え、
前記第１選択手段は、該選択した指向性の方向が複数のときに、該複数の方向から無作為に選ばれた１方向を選択し、
前記チャンネル受付手段は、チャンネル番号アップ方向またはチャンネル番号ダウン方向へのチャンネル切替指示を受け付けるチャンネル切替指示受付手段を含み、
前記チャンネル切替指示受付手段が受け付けたチャンネル切替指示により、前記記憶手段から前記受信可能チャンネルを、指示されたチャンネル番号アップ方向または指示されたチャンネル番号ダウン方向へサーチする受信可能チャンネルサーチ手段を、さらに備える、放送受信装置。
【請求項３】
前記可変指向性アンテナとして、複数のアンテナ素子で構成されるスマートアンテナを使用し、
振幅および位相を調節して前記スマートアンテナの各アンテナ素子を励振することで指向性を切換える、請求項１または２に記載の放送受信装置。
【請求項４】
前記放送信号抽出手段によって抽出された放送信号を信号処理する信号処理手段をさらに備える、請求項１〜３のいずれかに記載の放送受信装置と、
前記信号処理手段によって信号処理された信号で示される情報を表示する表示装置とを備える、放送受像装置。
【請求項５】
指向性を切換可能な可変指向性アンテナの指向性の方向を切換える指向性切換手段と、
チャンネルを切換えて、前記可変指向性アンテナから入力された複数のチャンネルのそれぞれに対応する放送信号のうちから、切換えたチャンネルに対応する放送信号を抽出する放送信号抽出手段とを備えた放送受信装置で放送を受信する放送受信方法であって、
前記指向性切換手段と前記放送信号抽出手段とを制御して、前記チャンネルと前記指向性の方向とを順次切換えるステップと、
前記順次切換えるステップで切換えられている前記チャンネルと前記指向性の方向との組合せごとに、前記放送信号抽出手段によって抽出された放送信号から検出した所定期間の同期信号の数をカウントするステップと、
前記順次切換えるステップで切換えられている複数の前記チャンネルのそれぞれに対して、前記カウントするステップでカウントされた数と、前記抽出された放送信号に対して予め定められている周波数と前記所定期間とから定められる基準値との差分を算出するステップと、
算出された差分を所定値と比較するステップと、
前記比較するステップによる比較の結果、前記算出された差分が前記所定値以内となったチャンネルを受信可能チャンネルと判断するステップと、
前記受信可能チャンネルについて、前記基準値との差分が最小となった指向性の方向を選択する第１の選択ステップと、
前記第１の選択ステップが選択した指向性の方向が複数のときに所定条件により該複数の１を選択する第２の選択ステップと、
前記チャンネル毎に受信可否判断結果と、前記第１の選択ステップが選択した指向性の方向とを対応付けて記憶するステップと、
所望のチャンネルの指定を受付けるステップと、
前記チャンネルの指定を受付けるステップで受付けられたチャンネルに対応して前記記憶するステップで記憶された指向性の方向に、前記指向性切換手段を制御して前記可変指向性アンテナの指向性の方向を切換えさせるとともに、該受付けられたチャンネルに対応する放送信号を前記放送信号抽出手段を制御して抽出させるステップとを含み、
前記第２の選択ステップの所定条件は、複数の方向のそれぞれの両隣の方向の差分値の和が最も小さくなる方向、または複数の方向のうち真中の方向であり、
前記記憶するステップは、前記第２の選択ステップが前記指向性の方向を選択した場合は、前記第１の選択ステップが選択した指向性の方向に代えて前記第２の選択ステップが選択した指向性の方向を記憶し、
前記チャンネルの指定を受付けるステップは、チャンネル番号アップ方向またはチャンネル番号ダウン方向へのチャンネル切替指示を受け付けるステップを含み、
前記チャンネル切替指示を受け付けるステップが受け付けたチャンネル切替指示により、前記記憶するステップで記憶されている前記受信可能チャンネルを、指示されたチャンネル番号アップ方向または指示されたチャンネル番号ダウン方向へサーチするステップとを、さらに含む、放送受信方法。
【請求項６】
指向性を切換可能な可変指向性アンテナの指向性の方向を切換える指向性切換手段と、
チャンネルを切換えて、前記可変指向性アンテナから入力された複数のチャンネルのそれぞれに対応する放送信号のうちから、切換えたチャンネルに対応する放送信号を抽出する放送信号抽出手段とを備えた放送受信装置で放送を受信する放送受信方法であって、
前記指向性切換手段と前記放送信号抽出手段とを制御して、前記チャンネルと前記指向性の方向とを順次切換えるステップと、
前記順次切換えるステップで切換えられている前記チャンネルと前記指向性の方向との組合せごとに、前記放送信号抽出手段によって抽出された放送信号から検出した所定期間の同期信号の数をカウントするステップと、
前記順次切換えるステップで切換えられている複数の前記チャンネルのそれぞれに対して、前記カウントするステップでカウントされた数と、前記抽出された放送信号に対して予め定められている周波数と前記所定期間とから定められる基準値との差分を算出するステップと、
算出された差分を所定値と比較するステップと、
前記比較するステップによる比較の結果、前記算出された差分が前記所定値以内となったチャンネルを受信可能チャンネルと判断するステップと、
前記受信可能チャンネルについて、前記基準値との差分が最小となった指向性の方向を選択するステップと、
前記チャンネル毎に受信可否判断結果と、前記選択するステップが選択した指向性の方向とを対応付けて記憶するステップと、
所望のチャンネルの指定を受付けるステップと、
前記チャンネルの指定を受付けるステップで受付けられたチャンネルに対応して前記記憶するステップで記憶された指向性の方向に、前記指向性切換手段を制御して前記可変指向性アンテナの指向性の方向を切換えさせるとともに、該受付けられたチャンネルに対応する放送信号を前記放送信号抽出手段を制御して抽出させるステップとを含み、
前記選択するステップは、該選択した指向性の方向が複数のときに、該複数の方向から無作為に選ばれた１方向を選択し、
前記チャンネルの指定を受付けるステップは、チャンネル番号アップ方向またはチャンネル番号ダウン方向へのチャンネル切替指示を受け付けるステップを含み、
前記チャンネル切替指示を受け付けるステップが受け付けたチャンネル切替指示により、前記記憶するステップで記憶されている前記受信可能チャンネルを、指示されたチャンネル番号アップ方向または指示されたチャンネル番号ダウン方向へサーチするステップとを、さらに含む、放送受信方法。
【発明の詳細な説明】
【技術分野】
【０００１】
本発明は、放送受信装置、放送受像装置、および、放送受信方法に関し、特に、可変指向性アンテナと接続される放送受信装置、放送受像装置、および、放送受信方法に関する。
【背景技術】
【０００２】
テレビ放送には、ＶＨＦ（Very High Frequency）およびＵＨＦ（Ultra High Frequency）の周波数帯域が割当てられている。一般的に、テレビ放送の信号受信には八木アンテナが用いられる。八木アンテナは、反射器、放射器および導波器で構成されており、反射器の働きにより導波器側へ強い指向性を有し、利得も大きいといった長所がある。
【０００３】
良好な受信ができるように、八木アンテナは、その指向性が放送局の方向と一致するように設定される。一般的に、アンテナは家屋の屋根等に固定して設置されるので、一旦設置されてしまうと、その指向性を変更することは容易ではない。そのため、複数の放送局が分散して存在している場合には、その指向性に応じた特定の方向にある放送局の放送信号しか受信できなかった。
【０００４】
そこで、指向性を複数種類に切換えて、分散して存在する各放送局からの電波を受信できる可変指向性アンテナが考案されている。可変指向性アンテナには、たとえば、スマートアンテナがある。このスマートアンテナは、複数のアンテナ素子で構成され、各アンテナ素子を適当な振幅および位相により励振することで指向性を切換えることができる。
【０００５】
したがって、上述のスマートアンテナを用いることで、放送局が分散して存在している場合でも各放送局からの電波が受信可能となる。
【０００６】
このような可変指向性アンテナを用いる場合には、少しでも電波状態の良い方向から電波を受信するために、定期的に、チャンネルサーチを行ない各チャンネルごとの可変指向性アンテナの指向性を自動的に設定するオートディレクションスキャンが実行される。
【０００７】
特許文献１には、アンテナの受信方向、増幅器の利得を調整制御して、信号同期状態と信号非同期状態との境界を検索することにより、アンテナで受信される信号レベルが最大となる状態を検出する最大受信レベル検出装置が開示されている（たとえば、特許文献１の第００６７段落参照）。
【０００８】
また、特許文献２には、ユニークワードで変調された信号を受信し復調してユニークワードとの同期をとり、このユニークワードの成分のレベルをアンテナの方位角や仰角の調整基準として出力する方向調整支援装置が開示されている（たとえば、特許文献２の第００２６段落参照）。また、水平同期信号を示す成分のレベルをアンテナの方位角や仰角の調整基準として出力する方向調整支援装置も開示されている（たとえば、特許文献２の第００３１段落参照）。
【０００９】
また、特許文献３には、自動微細同調できる方向を電波受信状態が最適であるとして、その方向にアンテナを回転させるアンテナ移動装置が開示されている（たとえば、特許文献３の第００４５段落参照）。特許文献３には、自動微細同調の方法が開示されていない。
【特許文献１】特開平１１−２４３３１２号公報
【特許文献２】特開平１０−２８４９２１号公報
【特許文献３】特開平５−２６７９１９号公報
【発明の開示】
【発明が解決しようとする課題】
【００１０】
しかし、特許文献１および特許文献２に開示されている技術によれば、信号のレベルをアンテナの方向を決定する指標としている。信号のレベルは相対的なものであるので、判断基準の設定によって映像の品質に差が生じる。また、信号のレベルを検出する必要があるため、信号のレベルを検出するための構成を備える必要がある。
【００１１】
この発明は上述の問題点を解決するためになされたもので、この発明の目的の１つは、可変指向性アンテナの指向性の最適方向を容易に定めることが可能な放送受信装置、放送受像装置、および、放送受信方法を提供することである。
【課題を解決するための手段】
【００１２】
上述した課題を解決するために、この発明のある局面に従えば、放送受信装置は、
指向性を切換可能な可変指向性アンテナの指向性の方向を切換える指向性切換手段と、
チャンネルを切換えて、前記可変指向性アンテナから入力された複数のチャンネルのそれぞれに対応する放送信号のうちから、切換えたチャンネルに対応する放送信号を抽出する放送信号抽出手段と、
前記指向性切換手段と前記放送信号抽出手段とを制御して、前記チャンネルと前記指向性の方向とを順次切換える順次切換制御手段と、
前記順次切換制御手段によって切換えられている前記チャンネルと前記指向性の方向との組合せごとに、前記放送信号抽出手段によって抽出された放送信号から検出した所定期間の水平同期信号の数をカウントするカウント手段と、
前記順次切換制御手段によって切換えられている複数の前記チャンネルのそれぞれに対して、前記カウント手段によってカウントされた数と、前記抽出された放送信号の水平同期周波数と前記所定期間とから定められる基準値との差分を算出する差分算出手段と、
前記差分算出手段によって算出された差分を所定値と比較する差分比較手段と、
前記差分比較手段による比較の結果、前記算出された差分が前記所定値以内となったチャンネルを受信可能チャンネルと判断する受信可否判断手段と、
前記受信可能チャンネルについて、前記基準値との差分が最小となった指向性の方向を選択する第１選択手段と、
前記第１選択手段が選択した指向性の方向が複数のときに所定条件により該複数の１を選択する第２選択手段と、
前記チャンネル毎に前記受信可否判断手段による判断結果と、前記第１選択手段が選択した指向性の方向とを対応付けて記憶する記憶手段と、
所望のチャンネルの指定を受付けるチャンネル受付手段と、
前記チャンネル受付手段によって受付けられたチャンネルに対応して前記記憶手段に記憶された指向性の方向に、前記指向性切換手段を制御して前記可変指向性アンテナの指向性の方向を切換えさせるとともに、該受付けられたチャンネルに対応する放送信号を前記放送信号抽出手段を制御して抽出させる選局手段とを備え、
前記第２選択手段の所定条件は、複数の方向のそれぞれの両隣の方向の差分値の和が最も小さくなる方向、または複数の方向のうち真中の方向であり、
前記記憶手段は、前記第２選択手段が前記指向性の方向を選択した場合は、前記第１選択手段が選択した指向性の方向に代えて前記第２選択手段が選択した指向性の方向を記憶し、
前記チャンネル受付手段は、チャンネル番号アップ方向またはチャンネル番号ダウン方向へのチャンネル切替指示を受け付けるチャンネル切替指示受付手段を含み、
前記チャンネル切替指示受付手段が受け付けたチャンネル切替指示により、前記記憶手段から前記受信可能チャンネルを、指示されたチャンネル番号アップ方向または指示されたチャンネル番号ダウン方向へサーチする受信可能チャンネルサーチ手段を、さらに備える。
【００１７】
この発明の他の局面によれば、放送受信装置は、
指向性を切換可能な可変指向性アンテナの指向性の方向を切換える指向性切換手段と、
チャンネルを切換えて、前記可変指向性アンテナから入力された複数のチャンネルのそれぞれに対応する放送信号のうちから、切換えたチャンネルに対応する放送信号を抽出する放送信号抽出手段と、
前記指向性切換手段と前記放送信号抽出手段とを制御して、前記チャンネルと前記指向性の方向とを順次切換える順次切換制御手段と、
前記順次切換制御手段によって切換えられている前記チャンネルと前記指向性の方向との組合せごとに、前記放送信号抽出手段によって抽出された放送信号から検出した所定期間の水平同期信号の数をカウントするカウント手段と、
前記順次切換制御手段によって切換えられている複数の前記チャンネルのそれぞれに対して、前記カウント手段によってカウントされた数と、前記抽出された放送信号の水平同期周波数と前記所定期間とから定められる基準値との差分を算出する差分算出手段と、
前記差分算出手段によって算出された差分を所定値と比較する差分比較手段と、
前記差分比較手段による比較の結果、前記算出された差分が前記所定値以内となったチャンネルを受信可能チャンネルと判断する受信可否判断手段と、
前記受信可能チャンネルについて、前記基準値との差分が最小となった指向性の方向を選択する第１選択手段と、
前記チャンネル毎に前記受信可否判断手段による判断結果と、前記第１選択手段が選択した前記指向性の方向とを対応付けて記憶する記憶手段と、
所望のチャンネルの指定を受付けるチャンネル受付手段と、
前記チャンネル受付手段によって受付けられたチャンネルに対応して前記記憶手段に記憶された指向性の方向に、前記指向性切換手段を制御して前記可変指向性アンテナの指向性の方向を切換えさせるとともに、該受付けられたチャンネルに対応する放送信号を前記放送信号抽出手段を制御して抽出させる選局手段とを備え、
前記第１選択手段は、該選択した指向性の方向が複数のときに、該複数の方向から無作為に選ばれた１方向を選択し、
前記チャンネル受付手段は、チャンネル番号アップ方向またはチャンネル番号ダウン方向へのチャンネル切替指示を受け付けるチャンネル切替指示受付手段を含み、
前記チャンネル切替指示受付手段が受け付けたチャンネル切替指示により、前記記憶手段から前記受信可能チャンネルを、指示されたチャンネル番号アップ方向または指示されたチャンネル番号ダウン方向へサーチする受信可能チャンネルサーチ手段を、さらに備える。
【００２０】
好ましくは、放送受信装置は、
前記可変指向性アンテナとして、複数のアンテナ素子で構成されるスマートアンテナを使用し、
振幅および位相を調節して前記スマートアンテナの各アンテナ素子を励振することで指向性を切換える。
【００２１】
この発明のさらに他の局面によれば、放送受像装置は、
前記放送信号抽出手段によって抽出された放送信号を信号処理する信号処理手段をさらに備える放送受信装置と、
前記信号処理手段によって信号処理された信号で示される情報を表示する表示装置とを備える。
【００２２】
この発明のさらに他の局面によれば、放送受信方法は、
指向性を切換可能な可変指向性アンテナの指向性の方向を切換える指向性切換手段と、
チャンネルを切換えて、前記可変指向性アンテナから入力された複数のチャンネルのそれぞれに対応する放送信号のうちから、切換えたチャンネルに対応する放送信号を抽出する放送信号抽出手段とを備えた放送受信装置で放送を受信する放送受信方法である。
【００２３】
また、放送受信方法は、
前記指向性切換手段と前記放送信号抽出手段とを制御して、前記チャンネルと前記指向性の方向とを順次切換えるステップと、
前記順次切換えるステップで切換えられている前記チャンネルと前記指向性の方向との組合せごとに、前記放送信号抽出手段によって抽出された放送信号から検出した所定期間の同期信号の数をカウントするステップと、
前記順次切換えるステップで切換えられている複数の前記チャンネルのそれぞれに対して、前記カウントするステップでカウントされた数と、前記抽出された放送信号に対して予め定められている周波数と前記所定期間とから定められる基準値との差分を算出するステップと、
算出された差分を所定値と比較するステップと、
前記比較するステップによる比較の結果、前記算出された差分が前記所定値以内となったチャンネルを受信可能チャンネルと判断するステップと、
前記受信可能チャンネルについて、前記基準値との差分が最小となった指向性の方向を選択する第１の選択ステップと、
前記第１の選択ステップが選択した指向性の方向が複数のときに所定条件により該複数の１を選択する第２の選択ステップと、
前記チャンネル毎に受信可否判断結果と、前記第１の選択ステップが選択した指向性の方向とを対応付けて記憶するステップと、
所望のチャンネルの指定を受付けるステップと、
前記チャンネルの指定を受付けるステップで受付けられたチャンネルに対応して前記記憶するステップで記憶された指向性の方向に、前記指向性切換手段を制御して前記可変指向性アンテナの指向性の方向を切換えさせるとともに、該受付けられたチャンネルに対応する放送信号を前記放送信号抽出手段を制御して抽出させるステップとを含み、
前記第２の選択ステップの所定条件は、複数の方向のそれぞれの両隣の方向の差分値の和が最も小さくなる方向、または複数の方向のうち真中の方向であり、
前記記憶するステップは、前記第２の選択ステップが前記指向性の方向を選択した場合は、前記第１の選択ステップが選択した指向性の方向に代えて前記第２の選択ステップが選択した指向性の方向を記憶し、
前記チャンネルの指定を受付けるステップは、チャンネル番号アップ方向またはチャンネル番号ダウン方向へのチャンネル切替指示を受け付けるステップを含み、
前記チャンネル切替指示を受け付けるステップが受け付けたチャンネル切替指示により、前記記憶するステップで記憶されている前記受信可能チャンネルを、指示されたチャンネル番号アップ方向または指示されたチャンネル番号ダウン方向へサーチするステップとを、さらに含む。
この発明のさらに他の局面によれば、放送受信方法は、
指向性を切換可能な可変指向性アンテナの指向性の方向を切換える指向性切換手段と、
チャンネルを切換えて、前記可変指向性アンテナから入力された複数のチャンネルのそれぞれに対応する放送信号のうちから、切換えたチャンネルに対応する放送信号を抽出する放送信号抽出手段とを備えた放送受信装置で放送を受信する放送受信方法であって、
前記指向性切換手段と前記放送信号抽出手段とを制御して、前記チャンネルと前記指向性の方向とを順次切換えるステップと、
前記順次切換えるステップで切換えられている前記チャンネルと前記指向性の方向との組合せごとに、前記放送信号抽出手段によって抽出された放送信号から検出した所定期間の同期信号の数をカウントするステップと、
前記順次切換えるステップで切換えられている複数の前記チャンネルのそれぞれに対して、前記カウントするステップでカウントされた数と、前記抽出された放送信号に対して予め定められている周波数と前記所定期間とから定められる基準値との差分を算出するステップと、
算出された差分を所定値と比較するステップと、
前記比較するステップによる比較の結果、前記算出された差分が前記所定値以内となったチャンネルを受信可能チャンネルと判断するステップと、
前記受信可能チャンネルについて、前記基準値との差分が最小となった指向性の方向を選択するステップと、
前記チャンネル毎に受信可否判断結果と、前記選択するステップが選択した指向性の方向とを対応付けて記憶するステップと、
所望のチャンネルの指定を受付けるステップと、
前記チャンネルの指定を受付けるステップで受付けられたチャンネルに対応して前記記憶するステップで記憶された指向性の方向に、前記指向性切換手段を制御して前記可変指向性アンテナの指向性の方向を切換えさせるとともに、該受付けられたチャンネルに対応する放送信号を前記放送信号抽出手段を制御して抽出させるステップとを含み、
前記選択するステップは、該選択した指向性の方向が複数のときに、該複数の方向から無作為に選ばれた１方向を選択し、
前記チャンネルの指定を受付けるステップは、チャンネル番号アップ方向またはチャンネル番号ダウン方向へのチャンネル切替指示を受け付けるステップを含み、
前記チャンネル切替指示を受け付けるステップが受け付けたチャンネル切替指示により、前記記憶するステップで記憶されている前記受信可能チャンネルを、指示されたチャンネル番号アップ方向または指示されたチャンネル番号ダウン方向へサーチするステップとを、さらに含む。
【発明の効果】
【００２４】
この発明に従えば、放送受信装置によって、指向性を切換可能な可変指向性アンテナの指向性の方向が切換えられ、チャンネルが切換えられ、可変指向性アンテナから入力された複数のチャンネルのそれぞれに対応する放送信号のうちから、切換えられたチャンネルに対応する放送信号が抽出される。
【００２５】
また、放送受信装置によって、チャンネルと指向性の方向とが順次切換えられ、切換えられているチャンネルと指向性の方向との組合せごとに、抽出された放送信号から検出された所定期間の同期信号の数がカウントされ、切換えられているチャンネルに対して、カウントされた数が放送信号に対して予め定められている周波数と所定期間とから定められる基準値に最も近い方向が１つ選択される。
【００２６】
このため、放送受信装置によって、放送受信装置で一般的に検出される同期信号の数が、簡単な構成であるカウンタなどによってカウントされ、基準値と比較されるだけで、可変指向性アンテナの指向性の最適方向を容易に定めることができる。
【００２７】
また、放送受信装置によって、切換えられている複数のチャンネルのそれぞれに対して、カウントされた数が基準値に最も近い指向性の方向が１つずつ選択され、選択された指向性の方向が複数のチャンネルのそれぞれと対応させて記憶される。
【００２８】
このため、複数のチャンネルに対して、それぞれ、可変指向性アンテナの指向性の最適方向を予め記憶させておくことができる。その結果、いずれかのチャンネルが選局されたときに、可変指向性アンテナの指向性の方向を迅速に切換えることができる。
【００２９】
また、放送受信装置によって、所望のチャンネルの指定が受付けられ、受付けられたチャンネルと、そのチャンネルに対応して記憶された指向性の方向に切換えられる。
【００３０】
このため、可変指向性アンテナの指向性の方向をユーザから受付けられたチャンネルに応じた最適方向に迅速に切換えることができる。
【００３１】
また、他の局面の放送受信装置によって、指向性を切換可能な可変指向性アンテナの指向性の方向が切換えられ、チャンネルが切換えられ、可変指向性アンテナから入力された複数のチャンネルのそれぞれに対応する放送信号のうちから、切換えられたチャンネルに対応する放送信号が抽出される。
【００３２】
また、その放送受信装置によって、所望のチャンネルの指定が受付けられ、受付けられたチャンネルに切換えられ、方向が順次切換えられ、切換えられている方向ごとに、抽出された放送信号から検出された所定期間の同期信号の数がカウントされ、カウントされた数が放送信号に対して予め定められている周波数と所定期間とから定められる基準値に最も近い方向のうちいずれかの方向が選択され、選択された方向に切換えらる。
【００３３】
このため、放送受信装置によって、放送受信装置で一般的に検出される同期信号の数が、簡単な構成であるカウンタなどによってカウントされ、基準値と比較されるだけで、可変指向性アンテナの指向性の最適方向を容易に定めることができる。
【００３４】
また、同期信号は、水平同期信号であり、放送信号に対して予め定められている周波数は、水平同期周波数である。水平同期信号は、一般的に検出が容易である。このため、さらに容易に可変指向性アンテナの指向性の最適方向を定めることができる。
【００３５】
また、放送受像装置によって、抽出された放送信号が信号処理され、信号処理された信号で示される情報が表示される。このため、放送受像装置によって、指向性の方向が最適方向に定められた可変指向性アンテナで受信された放送信号が信号処理された信号で示される質のよい情報を表示させることができる。
【００３６】
また、さらに他の局面の放送受信方法が放送受信装置に用いられることによって、チャンネルと指向性の方向とが順次切換えられ、切換えられているチャンネルと指向性の方向との組合せごとに、抽出された放送信号から検出された所定期間の同期信号の数がカウントされ、切換えられているチャンネルに対して、カウントされた数が放送信号に対して予め定められている周波数と所定期間とから定められる基準値に最も近い指向性の方向が１つ選択される。
【００３７】
このため、放送受信方法が用いられることによって、放送受信装置で一般的に検出される同期信号の数が、簡単な構成であるカウンタなどによってカウントされ、基準値と比較されるだけで、可変指向性アンテナの指向性の最適方向を容易に定めることができる。
【発明を実施するための最良の形態】
【００３８】
この発明の実施の形態について、図面を参照しながら詳細に説明する。なお、図中の同一または相当部分については、同一符号を付してその説明は繰返さない。
【００３９】
また、この発明の実施の形態においては、放送信号を受信するアンテナとしてスマートアンテナを用いることとする。しかし、これに限定されず、外部からの制御によって指向性を切換えることが可能な可変指向性アンテナであれば、他のアンテナを用いることができる。
【００４０】
［第１実施形態］
図１は、この発明の第１実施形態に従う放送受信装置１の概略構成図である。
【００４１】
図１を参照して、この発明の第１実施形態に従う放送受信装置１は、スマートアンテナ３０から放送信号を受信し、スマートアンテナ３０に対して受信方向切換信号を出力する。また、放送受信装置１は、モニタ４０に対して映像信号および音声信号を出力する。さらに、放送受信装置１は、リモコン４２から指令信号を受信する。
【００４２】
スマートアンテナ３０は、放送受信装置１から受信方向切換信号を受けて、各アンテナ素子に対する励振を変化させて指向性を切換える。
【００４３】
モニタ４０およびリモコン４２は、周知であるので詳細な説明は省略する。
【００４４】
放送受信装置１は、制御部１０と、チューナ１６と、アナログ復調器２０と、受信方向切換部２４と、リモコン受信部２６とを含む。
【００４５】
制御部１０は、プログラムを実行するＣＰＵ（Central Processing Unit）１０ａと、
実行されるプログラム、プログラム実行中のデータ、およびプログラム実行結果のデータを記憶するメモリ１０ｂとからなる。
【００４６】
チューナ１６は、受信した放送信号の中から、制御部１０からの指令に応じて選択されたチャンネルに対応する放送信号を抽出する。そして、チューナ１６は、抽出した放送信号をアナログ復調器２０へ出力する。
【００４７】
アナログ復調器２０は、チューナ１６から放送信号を受けて、放送信号に含まれる映像部分と音声部分とを信号処理して、映像信号および音声信号へ復調する。そして、アナログ復調器２０は、復調された映像信号および音声信号を外部（本実施の形態においては、モニタ４０）へ出力する。
【００４８】
ここで、アナログテレビ放送信号には、走査線の水平走査および垂直走査を制御するために、水平同期信号および垂直同期信号が含まれている。アナログ復調器２０が映像信号の復調を行うために、上述の水平同期信号および垂直同期信号を捕捉する必要がある。
【００４９】
なお、水平同期信号は、垂直同期信号に対して十分に周波数が高い。そのため、水平同期信号は、垂直同期信号に比較して、ノイズ等の影響を受けやすい。つまり、水平同期信号を捕捉できたか否かで受信状態を判断することができる。
【００５０】
なお、アナログテレビ放送は、日本や米国等のＮＴＳＣ（National System Committee
）方式の他に、ドイツやイギリス等のＰＡＬ（Phase Alternation by Line）方式および
フランス等のＳＥＣＡＭ（Sequentiel Couleur a Memoire）方式があるが、いずれの方式においても放送信号に水平同期信号が含まれているため、水平同期信号の捕捉の可否により受信状態を判断できる。
【００５１】
したがって、本実施の形態におけるアナログ復調器２０は、上述のいずれの方式を用いてもよい。
【００５２】
また、アナログ復調器２０は、水平同期信号を検出するたびに、パルス信号を制御部１０に出力する機能を含む。制御部１０は、アナログ復調器２０から受けた所定期間のパルス信号の数をカウントする。
【００５３】
なお、放送受信装置１として、所定期間に検出した水平同期信号の数をカウントするものであれば、他の構成によるものでもよい。たとえば、アナログ復調器２０が、所定期間に検出した水平同期信号の数をカウントして、カウントした数を制御部１０に出力するようにしてもよい。また、制御部１０が、アナログ復調器２０から水平同期信号を受けて、所定期間の水平同期信号の数を水平同期信号を検出するたびにカウントするようにしてもよい。
【００５４】
受信方向切換部２４は、制御部１０からの指令に応じて、受信方向切換信号をスマートアンテナ３０へ出力する。
【００５５】
リモコン受信部２６は、リモコン４２からの指令を受信して制御部１０へ出力する。ユーザは、所望の動作を行わせるためリモコン４２を用いて、指令を送信する。
【００５６】
本実施の形態では、スマートアンテナ３０は、指向性を切換えることにより水平面に対して１６分割された各方向に受信方向を変更できるとして説明する。
【００５７】
図２は、この発明の第１実施形態に従うスマートアンテナ３０の受信方向切換図である。
【００５８】
本実施形態においては、図２に示すように時計回り（正の回転方向）に１，２，・・・，１６と各受信方向に番号付けを行なう。
【００５９】
図３は、この発明の第１実施形態に従うオートスキャン処理の流れを示すフローチャートである。
【００６０】
図３を参照して、まず、放送受信装置１の制御部１０は、変数ｉを定数Ｆで初期化する（ステップＳ１１１）。定数Ｆは、物理チャンネルの最初のチャンネルを示す番号であり、本実施の形態においては、Ｆ＝２である。
【００６１】
次に、制御部１０は、変数ｉが定数Ｌより大きくなったか否かを判断する（ステップＳ１１２）。定数Ｌは、物理チャンネルの最後のチャンネルを示す番号であり、本実施の形態においては、Ｌ＝６９である。
【００６２】
ｉ＞Ｌでない場合、つまり、ｉ≦Ｌである場合（ステップＳ１１２においてＮＯの場合）、制御部１０は、チューナ１６を制御して、抽出する放送信号のチャンネルをチャンネル番号ｉに切換える（ステップＳ１１３）。
【００６３】
そして、制御部１０は、アナログ復調器２０が水平同期信号を検出するたびに出力した所定期間のパルス信号の数をカウントし、そのカウント値と基準値との差分が所定値以内の方向を探索する（ステップＳ１２１）。本実施の形態においては、所定値を２．０とする。
【００６４】
また、本実施の形態においては、所定期間を１．５ｍｓとする。通常のアナログテレビ放送の場合、水平同期周波数は、１５７３４Ｈｚである。この場合、すべての水平同期信号が過不足なく検出されたときの所定期間の水平同期信号の数は、水平同期周波数１５７３４Ｈｚ×０.００１５秒（＝１．５ｍｓ）＝２３．６０１となる。これより、本実施の形態においては、基準値を予め２３．６と定めておく。
【００６５】
なお、たとえば、所定期間を１０ｍｓとした場合、すべての水平同期信号が過不足なく検出されたときの所定期間の水平同期信号の数は、１５７３４Ｈｚ×０．０１秒（＝１０ｍｓ）＝１５７．３４となる。この場合、基準値を１５７．３とする。
【００６６】
表１は、各受信方向に対する差分値の例を示す表である。
【００６７】
【表１】
0004483648.tif 000002
【００６８】
表１を参照して、ステップＳ１２１が実行されることによって、カウント値と基準値２３．６との差分が所定値２．０以内の方向が、受信方向番号６から１０までの方向であることが探索される。
【００６９】
次に、制御部１０は、差分が所定値以内の方向があるか否かを判断する（ステップＳ１２２）。差分が所定値以内の方向がないと判断した場合（ステップＳ１２２においてＮＯの場合）、制御部１０は、ＡＤＤフラグＦｉの値を０として（ステップＳ１２３）、ステップＳ１４１に実行する処理を進める。
【００７０】
ＡＤＤフラグＦｉは、物理チャンネルｉの放送信号が受信可能か否かを示すフラグであって、Ｆｉ＝１のとき受信可能であることを示し、Ｆｉ＝０のとき受信不可能であることを示す。
【００７１】
一方、差分が所定値以内の方向があると判断した場合（ステップＳ１２２においてＹＥＳの場合）、制御部１０は、ＡＤＤフラグＦｉの値を１とする（ステップＳ１２４）。次に、制御部１０は、カウント値と基準値との差分が最も小さくなる方向を探索する（ステップＳ１３１）。
【００７２】
表１を再び参照して、この場合、カウント値と基準値との差分値が最も小さくなる方向は、受信方向番号８の方向である。
【００７３】
図３に戻って、制御部１０は、カウント値と基準値との差分が最も小さくなる方向が１つであるか否かを判断する（ステップＳ１３２）。最も小さくなる方向が１つであると判断した場合（ステップＳ１３２においてＹＥＳの場合）、制御部１０は、その方向を示す番号を受信方向番号Ｊｉとしてメモリ１０ｂに記憶させる（ステップＳ１３３）。ステップＳ１３３の後、制御部１０は、実行する処理をステップＳ１４１に進める。
【００７４】
表１の場合は、カウント値と基準値との差分値が最も小さくなる方向は、受信方向番号８の方向であるので、受信方向番号Ｊｉ＝８として記憶させる。
【００７５】
一方、最も小さくなる方向が１つでないと判断した場合、つまり、最も小さくなる方向が複数である場合（ステップＳ１３２においてＮＯの場合）、制御部１０は、複数の方向のうち所定条件を満たす方向を示す番号を受信方向番号Ｊｉとしてメモリ１０ｂに記憶させる（ステップＳ１３４）。その後、制御部１０は、実行する処理をステップＳ１４１に進める。
【００７６】
たとえば、表１において、受信方向番号８の差分値が０．６の場合、差分値が最も小さくなる方向が、受信方向番号６，８，１０の複数の方向となる。
【００７７】
ここで、所定条件とは、本実施の形態においては、差分値が最も小さくなる複数の方向のうち真中の方向であるという条件である。表１において、受信方向番号８の差分値が０．６の場合、差分値が最も小さくなる受信方向番号６，８，１０の複数の方向のうち、真中の方向は、受信方向番号８の方向である。
【００７８】
なお、所定条件は、これに限定されず、他の条件であってもよい。たとえば、所定条件は、差分値が最も小さくなる複数の方向から無作為に選ばれた方向であるという条件としてもよい。
【００７９】
また、所定条件は、差分値が最も小さくなる複数の方向のそれぞれの両隣の方向の差分値の和が最も小さくなる方向であるという条件としてもよい。この場合、表１において、受信方向番号８の差分値が０．６のときの差分値が最も小さくなる受信方向番号６，８，１０の複数の方向のそれぞれの両隣の方向の差分値の和は、それぞれ、９．０，２．８，９．０となる。このため、所定条件を満たす方向は、受信方向番号８の方向となる。
【００８０】
処理がステップＳ１４１に進められた場合、制御部１０は、変数ｉに１加算する（ステップＳ１４１）。その後、制御部１０は、実行する処理をステップＳ１１２に戻す。変数ｉがＬより大きくなったと判断した場合、つまり、ｉ＞Ｌの場合（ステップＳ１１２においてＹＥＳの場合）、制御部１０は、実行する処理をこのオートスキャン処理の呼出元の処理に戻す。
【００８１】
このように、オートスキャン処理が実行されることによって、ＦからＬまでの全チャンネルに対して、ＡＤＤフラグが設定される。また、ＡＤＤフラグの値が１のチャンネルについては、所定期間の水平同期信号のカウント値と基準値との差分値が最も小さい方向が受信方向として記憶される。なお、カウント値と基準値との差分値が最も小さい方向は、カウント値と基準値とが最も近い方向と等しい。
【００８２】
信号のレベルは、放送信号の受信状態などによって変化する相対的な値である。しかし、水平同期周波数などの放送信号の同期周波数は、放送信号に対して予め定められている絶対的な値である。このため、水平同期周波数の１サイクルごとに放送信号に含まれる水平同期信号が所定期間のカウント値は、放送信号が送信された状態のままきっちりと受信される場合には、基準値と等しい一定値となる。
【００８３】
しかし、放送信号が微弱である場合など、検出できない水平同期信号がある場合、カウント値は基準値より少なくなる。また、ノイズなどの影響で誤検出された水平同期信号がある場合、カウント値は基準値より多くなることがある。このように水平同期信号の数に過不足がある場合、経験的に映像が悪くなることが分かっている。
【００８４】
また、信号の数のカウントや、カウント値と基準値との比較は、信号の大きさの計測や、信号の時間的方向での差分の計算などと比較して、ＣＰＵによって一般的に容易に実行することができる。
【００８５】
このため、所定期間の水平同期信号の数をカウントして、所定期間の水平同期信号のカウント値と基準値との差分値が最も小さい方向を選択するだけで、スマートアンテナ３０の指向性の最適方向を容易に定めることができる。
【００８６】
表２は、オートスキャン処理が実行されることによって記憶されるＡＤＤフラグおよび受信方向の内容の例を示す表である。
【００８７】
【表２】
0004483648.tif 000003
【００８８】
表２を参照して、物理チャンネル２，４，６８のＡＤＤフラグの値が１であって、ＡＤＤフラグの値が１である物理チャンネル２，４，６８の受信方向が、それぞれ、受信方向番号１，８，１６の方向であることが示されている。
【００８９】
なお、表２のＡＤＤフラグの項目の内容は、オートスキャン処理のステップＳ１２３またはステップＳ１２４の処理で記憶される。また、受信方向の項目の内容は、ステップＳ１３３またはステップＳ１３４の処理で記憶される。
【００９０】
図４は、この発明の第１実施形態に従う選局処理の流れを示すフローチャートである。
【００９１】
図４を参照して、まず、制御部１０は、現在、放送信号を受信している現在受信チャンネルのチャンネル番号ｍをメモリ１０ｂから取得する（ステップＳ１５１）。現在受信チャンネルのチャンネル番号は、後述するステップＳ１５６でメモリ１０ｂに記憶される。
【００９２】
次に、制御部１０は、リモコン４２からチャンネルアップを指示する信号が入力されたことを示すチャンネルアップ信号が、リモコン受信部２６から入力されたか否かを判断する（ステップＳ１５２）。
【００９３】
チャンネルアップ信号が入力されたと判断した場合（ステップＳ１５２においてＹＥＳの場合）、制御部１０は、現在受信チャンネルのチャンネル番号ｍから昇順に、メモリ１０ｂに記憶されたＡＤＤフラグのうち、値Ｆｎ＝１の最初のチャンネルのチャンネル番号ｎを探索する（ステップＳ１５３）。その後、制御部１０は、実行する処理をステップＳ１５６に進める。
【００９４】
たとえば、表２において、現在受信チャンネルのチャンネル番号が２である場合、昇順に探索してＡＤＤフラグＦ＝１の最初のチャンネルは、チャンネル番号４のチャンネルである。
【００９５】
一方、チャンネルアップ信号が入力されていないと判断した場合（ステップＳ１５２においてＮＯの場合）、制御部１０は、リモコン４２からチャンネルダウンを指示する信号が入力されたことを示すチャンネルダウン信号が、リモコン受信部２６から入力されたか否かを判断する（ステップＳ１５４）。
【００９６】
チャンネルダウン信号が入力されたと判断した場合（ステップＳ１５４においてＹＥＳの場合）、制御部１０は、現在受信チャンネルのチャンネル番号ｍから降順に、メモリ１０ｂに記憶されたＡＤＤフラグのうち、値Ｆｎ＝１の最初のチャンネルのチャンネル番号ｎを探索する（ステップＳ１５５）。その後、制御部１０は、実行する処理をステップＳ１５６に進める。
【００９７】
たとえば、表２において、現在受信チャンネルのチャンネル番号が２である場合、降順に探索してＡＤＤフラグＦ＝１の最初のチャンネルは、チャンネル番号６８のチャンネルである。
【００９８】
一方、チャンネルダウン信号が入力されていないと判断した場合（ステップＳ１５４においてＮＯの場合）、制御部１０は、実行する処理をこの選局処理の呼出元の処理に戻す。
【００９９】
ステップＳ１５６に処理が進められた場合、制御部１０は、チャンネル番号ｎを現在受信チャンネルのチャンネル番号としてメモリ１０ｂに記憶させる（ステップＳ１５６）。そして、制御部１０は、チャンネルｎに対応させてメモリ１０ｂに記憶されている受信方向番号Ｊｎを読出す（ステップＳ１５７）。
【０１００】
たとえば、表２において、チャンネル番号４のチャンネルにチャンネルアップまたはチャンネルダウンされた場合は、チャンネル番号４に対応させて記憶されている受信方向番号８が読出される。
【０１０１】
次に、制御部１０は、受信方向番号Ｊｎの方向にスマートアンテナ３０の指向性を切換えることを指示する受信方向切換コマンドを受信方向切換部２４に送信する（ステップＳ１５８）。受信方向切換部２４は、制御部１０から受けた受信方向切換コマンドに応じて、受信方向を受信方向番号Ｊｎの方向に切換えるようスマートアンテナ３０を制御する受信方向切換信号をスマートアンテナ３０に出力する。
【０１０２】
そして、制御部１０は、チャンネル番号ｎのチャンネルの放送信号を受信するよう、チューナ１６を制御する（ステップＳ１５９）。
【０１０３】
このように、選局処理が実行されることによって、ユーザが所望するチャンネルの指定が受付けられ、前述したオートスキャン処理によって放送信号が受信可能であるとして記憶されたチャンネルのうち指定されたチャンネル、および、そのチャンネルに対して記憶された最適な受信方向に切換えられる。
【０１０４】
このため、スマートアンテナ３０の指向性の方向をユーザから受付けられたチャンネルに応じた最適方向に迅速に切換えることができる。
【０１０５】
［第２実施形態］
第１実施形態においては、受信可能なそれぞれのチャンネルについて予め最適方向をスキャンして記憶しておき、ユーザによってチャンネルが選局されたときに、選局されたチャンネルに切換えるとともに、選局されたチャンネルに応じて記憶された最適方向にスマートアンテナ３０の指向性を切換える放送受信装置１について説明した。
【０１０６】
第２実施形態においては、ユーザによってチャンネルが選局されたときに、選局されたチャンネルについて最適方向をスキャンし、選局されたチャンネルに切換えるとともに、スキャンされた最適方向にスマートアンテナ３０の指向性を切換える放送受信装置１について説明する。
【０１０７】
第２実施形態における放送受信装置１の構成は、図１で説明した構成と同様であるので、説明は繰返さない。
【０１０８】
図５は、この発明の第２実施形態に従う選局スキャン処理の流れを示すフローチャートである。
【０１０９】
図５を参照して、ステップＳ１５１からステップＳ１５６までの処理、および、ステップＳ１５９の処理は、図４で説明したステップＳ１５１からステップＳ１５６までの処理、および、ステップＳ１５９の処理とそれぞれ同様であるので、説明は繰返さない。
【０１１０】
なお、第１実施形態においては、ＡＤＤフラグはオートスキャン処理で設定されるようにした。しかし、第２実施形態においては、ＡＤＤフラグは、放送信号を受信可能なチャンネルに対するフラグ値が１に予め設定されているか、または、すべてのチャンネルに対するフラグ値が１に予め設定されていることとする。
【０１１１】
つまり、ステップＳ１５１からステップＳ１５９までの処理が実行されることによって、現在受信チャンネルの昇順または降順の、次の受信可能チャンネル、または、次のチャンネル（受信可能、受信不可能は不問）に、チャンネルが切換えられる。
【０１１２】
次に、制御部１０は、スキャン処理を実行する（ステップＳ１６０）。スキャン処理については、図６で説明する。
【０１１３】
図６は、この発明の第２実施形態に従うスキャン処理の流れを示すフローチャートである。
【０１１４】
図６を参照して、ステップＳ１２１、ステップＳ１２２、ステップＳ１３１、および、ステップＳ１３２の処理は、図３で説明したステップＳ１２１、ステップＳ１２２、ステップＳ１３１、および、ステップＳ１３２の処理とそれぞれ同様であるので、説明は繰返さない。
【０１１５】
カウント値と基準値との差分値が最も小さくなる方向が１つであると判断した場合（ステップＳ１３２においてＹＥＳの場合）、制御部１０は、その方向にスマートアンテナ３０の指向性の方向を切換えることを指示する受信方向切換コマンドを受信方向切換部２４に送信する（ステップＳ１３５）。
【０１１６】
一方、カウント値と基準値との差分値が最も小さくなる方向が１つでないと判断した場合、つまり、最も小さくなる方向が複数である場合（ステップＳ１３２においてＮＯの場合）、制御部１０は、複数の方向のうち所定条件を満たす方向にスマートアンテナ３０の指向性の方向を切換えることを指示する受信方向切換コマンドを受信方向切換部２４に送信する（ステップＳ１３６）。
【０１１７】
受信方向切換部２４は、ステップＳ１３５またはステップＳ１３６が実行されることによって制御部１０から受けた受信方向切換コマンドに応じて、受信方向を受信方向切換コマンドで指定される方向に切換えるようスマートアンテナ３０を制御する受信方向切換信号をスマートアンテナ３０に出力する。
【０１１８】
ステップＳ１３５またはステップＳ１３６の後、制御部１０は、実行する処理をこのスキャン処理の呼出元の処理である前述した選局スキャン処理に戻す。
【０１１９】
図５に戻って、制御部１０は、ステップＳ１６０の後、実行する処理をこの選局スキャン処理の呼出元の処理に戻す。
【０１２０】
このように、選局スキャン処理およびスキャン処理が実行されることによって、ユーザが所望するチャンネルの指定が受付けられ、指定されたチャンネルに対して、所定期間の水平同期信号のカウント値と基準値との差分値が最も小さい方向が受信方向として選択され、指定されたチャンネル、および、そのチャンネルに対して選択された最適な受信方向に切換えられる。
【０１２１】
このため、所定期間の水平同期信号の数をカウントして、所定期間の水平同期信号のカウント値と基準値との差分値が最も小さい方向を選択するだけで、スマートアンテナ３０の指向性の最適方向を容易に定めることができる。
【０１２２】
また、スマートアンテナ３０の指向性の方向をユーザから受付けられたチャンネルに応じた最適方向に迅速に切換えることができる。
【０１２３】
なお、前述した第１実施形態および第２実施形態においては、同期信号および同期周波数として、水平同期信号および水平同期周波数を用いたが、これに限定されず、垂直同期信号および垂直同期周波数を用いてもよいし、色同期信号（カラーバースト）およびカラーサブキャリア周波数を用いてもよい。
【０１２４】
また、可変指向性アンテナを制御して、同期信号を有する放送信号を受信する装置であれば、放送受信装置に限定されず、放送受信装置に加えてモニタやスピーカを備えた放送受像装置であってもよいし、放送受信装置に加えて録画装置を備えた放送録画装置であってもよいし、放送受像装置に加えて録画装置を備えた放送受像録画装置であってもよい。
【０１２５】
また、前述した第１実施形態および第２実施形態では、放送受信装置１は、スマートアンテナ３０から受けた放送信号をアナログの映像信号および音声信号に信号処理して外部に出力するようにした。
【０１２６】
しかし、これに限定されず、スマートアンテナ３０から受けた放送信号を信号処理して外部に出力するものであれば、他のものであってもよい。たとえば、スマートアンテナ３０から受けた放送信号をデジタルの映像信号および音声信号に信号処理して外部に出力するものであってもよい。
【０１２７】
また、前述した第１実施形態および第２実施形態では、可変指向性アンテナとして、電気的に指向性を調整するものを示したが、例えばアンテナの方位角をモータによって変更するような機械的に指向性を調整することができる構成を使用できる。
【０１２８】
また、前述した第１実施形態および第２実施形態においては、放送受信装置１が、スマートアンテナ３０に接続されるようにした。しかし、これに限定されず、放送受信装置１が、スマートアンテナ３０などの可変指向性アンテナと構造的に一体として構成されるようにしてもよい。
【０１２９】
また、前述した第１実施形態および第２実施形態においては、放送受信装置１が、スマートアンテナ３０と分離された構成として説明した。しかし、これに限定されず、放送受信装置１とスマートアンテナ３０とから構成される放送受信システムとして発明を捉えることができる。
【０１３０】
また、前述した第１実施形態および第２実施形態においては、それぞれ、放送受信装置１について説明した。しかし、図３、図４、図５、および、図６で説明した処理を放送受信装置１で実行する制御方法として発明を捉えることができる。
【０１３１】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１３２】
【図１】この発明の第１実施形態に従う放送受信装置の概略構成図である。
【図２】この発明の第１実施形態に従うスマートアンテナの受信方向切換図である。
【図３】この発明の第１実施形態に従うオートスキャン処理の流れを示すフローチャートである。
【図４】この発明の第１実施形態に従う選局処理の流れを示すフローチャートである。
【図５】この発明の第２実施形態に従う選局スキャン処理の流れを示すフローチャートである。
【図６】この発明の第２実施形態に従うスキャン処理の流れを示すフローチャートである。
【符号の説明】
【０１３３】
１  放送受信装置、１０  制御部、１０ａ  ＣＰＵ、１０ｂ  メモリ、１６  チューナ、２０  アナログ復調器、２４  受信方向切換部、２６  リモコン受信部、３０  スマートアンテナ、４０  モニタ、４２  リモコン。
【図１】
0004483648.tif 000004
【図２】
0004483648.tif 000005
【図３】
0004483648.tif 000006
【図４】
0004483648.tif 000007
【図５】
0004483648.tif 000008
【図６】
0004483648.tif 000009